(57)【要約】【課題】標本位置の微調整を容易に行うことができる一方、ユーザの動作によって操作力以外の外力が加わっても動くことがなく、構成も簡単なステージを提供する。【解決手段】相対的に移動可能な複数の板状部材が積層されてなり、観察対象の標本からの光を結像する顕微鏡に取り付けられて該標本を載置するステージであって、複数の板状部材のいずれかを板厚方向に貫通し、該貫通する板状部材に対して変位可能に固定されるとともに、該貫通する板状部材と異なる一つの板状部材の主面に当接可能な当接部材を備える。【選択図】図２
2013228626.tif 000002
【特許請求の範囲】
【請求項１】
相対的に移動可能な複数の板状部材が積層されてなり、観察対象の標本からの光を結像する顕微鏡に取り付けられて該標本を載置するステージであって、
前記複数の板状部材のいずれかを板厚方向に貫通し、該貫通する板状部材に対して変位可能に固定されるとともに、該貫通する板状部材と異なる一つの板状部材の主面に当接可能な当接部材を備えたことを特徴とするステージ。
【請求項２】
前記当接部材は、
前記貫通する板状部材に螺合するネジ部と、
前記ネジ部の先端に設けられ、前記貫通する板状部材と異なる一つの板状部材の主面に当接可能な当接部と、
を有することを特徴とする請求項１に記載のステージ。
【請求項３】
前記当接部は、樹脂を含む材料からなることを特徴とする請求項２に記載のステージ。
【請求項４】
前記複数の板状部材は、
基準部材と、
前記基準部材に対して第１の方向に移動可能であり、前記基準部材の一方の主面に積層される第１の移動部材と、
前記基準部材に対して前記第１の方向と異なる方向に移動可能であり、前記基準部材の他方の主面に積層される第２の移動部材と、
を有し、
前記当接部材を複数備え、
該複数の前記当接部材は、
前記第１の移動部材に螺合されて前記基準部材に当接可能な第１の当接部材と、
前記第２の移動部材に螺合されて前記基準部材に当接可能な第２の当接部材と、
を有することを特徴とする請求項１〜３のいずれか一項に記載のステージ。
【発明の詳細な説明】
【技術分野】
【０００１】
本発明は、観察対象の標本からの光を結像する顕微鏡に取り付けられ、標本を載置する顕微鏡用のステージに関する。
【背景技術】
【０００２】
従来、医学や生物学等の分野では、細胞等の観察に、標本を照明して観察する顕微鏡が用いられている。また、工業分野においても、金属組織等の品質管理や、新素材の研究開発、電子デバイスや磁気ヘッドの検査等、種々の用途で顕微鏡が用いられている。
【０００３】
顕微鏡には、観察対象の標本を載置するステージが取り付けられる。ステージは、ユーザが標本の位置を調整するために顕微鏡の本体に対して移動可能な構成を有する。標本の位置を微調整する場合には、倍率が高いほど少ない移動距離での調整が必要となる。その一方で、マニピュレータのようにユーザが標本にアクセスする手段を設ける場合には、ユーザの動作によってステージに外力が加わってもステージが移動しない機構が必要となる。
【０００４】
このような状況の下、下記特許文献１では、圧電素子を備えたピエゾアクチュエータを有するステージが開示されている。このステージでは、ピエゾアクチュエータへの印加電圧を調整することによってテーブルの固定または移動を制御する。
【０００５】
また、下記特許文献２では、電気レオロジー（ＥＲ）ゲルシートを利用したブレーキ機構を備えたステージが開示されている。このステージでは、ＥＲゲルシートに所定の電圧を印加することによってテーブルの位置固定を行う。
【先行技術文献】
【特許文献】
【０００６】
【特許文献１】特開２００３−３０２５７９号公報
【特許文献２】特開２００８−１３９６９５号公報
【発明の概要】
【発明が解決しようとする課題】
【０００７】
しかしながら、上記特許文献１は、構成が複雑であることに加え、圧電素子による当接力を電気的に調整することが難しいという問題があった。このため、テーブル粗動後の標本位置の微調整を行うことが困難であった。
【０００８】
また、上記特許文献２では、ゲル状のＥＲゲルシートによってテーブルを固定しているため、ユーザが標本にアクセスするような動作を行う場合に操作力以外の外力がユーザによって加えられたとき、テーブルを完全に固定することが難しいという問題があった。
【０００９】
本発明は、上記に鑑みてなされたものであって、標本位置の微調整を容易に行うことができる一方、ユーザの動作によって操作力以外の外力が加わっても動くことがなく、構成も簡単なステージを提供することを目的とする。
【課題を解決するための手段】
【００１０】
上述した課題を解決し、目的を達成するために、本発明に係るステージは、相対的に移動可能な複数の板状部材が積層されてなり、観察対象の標本からの光を結像する顕微鏡に取り付けられて該標本を載置するステージであって、前記複数の板状部材のいずれかを板厚方向に貫通し、該貫通する板状部材に対して変位可能に固定されるとともに、該貫通する板状部材と異なる一つの板状部材の主面に当接可能な当接部材を備えたことを特徴とする。
【００１１】
本発明に係るステージは、上記発明において、前記当接部材は、前記貫通する板状部材に螺合するネジ部と、前記ネジ部の先端に設けられ、前記貫通する板状部材と異なる一つの板状部材の主面に当接可能な当接部と、を有することを特徴とする。
【００１２】
本発明に係るステージは、上記発明において、前記当接部は、樹脂を含む材料からなることを特徴とする。
【００１３】
本発明に係るステージは、上記発明において、前記複数の板状部材は、基準部材と、前記基準部材に対して第１の方向に移動可能であり、前記基準部材の一方の主面に積層される第１の移動部材と、前記基準部材に対して前記第１の方向と異なる方向に移動可能であり、前記基準部材の他方の主面に積層される第２の移動部材と、を有し、前記当接部材を複数備え、該複数の前記当接部材は、前記第１の移動部材に螺合されて前記基準部材に当接可能な第１の当接部材と、前記第２の移動部材に螺合されて前記基準部材に当接可能な第２の当接部材と、を有することを特徴とする。
【発明の効果】
【００１４】
本発明によれば、複数の板状部材のいずれかを板厚方向に貫通し、該貫通する板状部材に対して変位可能に固定されるとともに、該貫通する板状部材と異なる一つの板状部材の主面に当接可能な当接部材を備えているため、当接部材を板状部材に当接させるだけの簡単な構成により、標本位置の微調整を容易に行うことができる一方、ユーザの動作によって操作力以外の外力が加わっても動くことがない状態を生じさせることができる。
【図面の簡単な説明】
【００１５】
【図１】図１は、本発明の実施の形態１に係るステージを備えた顕微鏡の外観構成を模式的に示す図である。
【図２】図２は、本発明の実施の形態１に係るステージの構成を示す分解斜視図である。
【図３】図３は、本発明の実施の形態１に係るステージが備える第１当接部材の構成および第１当接部材の第１移動部材への取付態様を示す部分断面図である。
【図４】図４は、本発明の実施の形態２に係るステージの構成を示す分解斜視図である。
【図５】図５は、本発明の実施の形態２に係るステージが備える当接部材の構成および第１当接部材の第１移動部材への取付態様を示す部分断面図である。
【図６】図６は、本発明の実施の形態３に係るステージの構成を示す分解斜視図である。
【図７】図７は、本発明の実施の形態４に係るステージの要部の構成を示す断面図である。
【発明を実施するための形態】
【００１６】
以下、添付図面を参照して、本発明を実施するための形態（以下、「実施の形態」という）を説明する。なお、以下の説明で参照する図面は模式的なものであって、同じ物体を異なる図面で示す場合には、寸法や縮尺等が異なる場合もある。
【００１７】
（実施の形態１）
図１は、本発明の実施の形態１に係るステージを搭載した顕微鏡の全体構成を模式的に示す図である。同図に示す顕微鏡１は倒立型顕微鏡であり、観察対象の標本Ｓを載置するステージ２が取り付けられる。顕微鏡１は、対物レンズ３と、動力伝達機構を有し、該機構によって対物レンズ３を上下に動かす焦準操作部４と、焦準操作部４が取り付けられるとともに、内部に対物レンズ３を通過した光を結像する光学系が設けられた顕微鏡本体５と、透過照明を行う透過照明装置６と、を備える。
【００１８】
まず、本実施の形態１に係るステージ２の構成を説明する。図２は、ステージ２の構成を示す分解斜視図である。同図に示すステージ２は、板状をなす基準部材２１と、基準部材２１の互いに異なる主面とそれぞれ対向して積層される第１移動部材２２および第２移動部材２３と、基準部材２１に対する第１移動部材２２および第２移動部材２３の移動を操作する操作部２４と、第１移動部材２２に螺合するとともに、基準部材２１の主面に当接可能な第１当接部材２５と、第２移動部材２３に螺合するとともに、基準部材２１の主面であって第１当接部材２５が当接する主面と別の主面に対して当接可能な第２当接部材２６と、を有する。基準部材２１、第１移動部材２２、第２移動部材２３、操作部２４は、金属または合金によって構成される。また、基準部材２１、第１移動部材２２、第２移動部材２３は、複数の板状部材を構成している。
【００１９】
第１移動部材２２は、基準部材２１に対して基準部材２１の主面と平行な方向（第１の方向）に往復動可能である。また、第２移動部材２３は、基準部材２１に対して基準部材２１の板面と平行な方向であって第１移動部材２２が往復動する方向と直交する方向（第２の方向）に往復動可能である。
【００２０】
ステージ２は、第２移動部材２３を介して顕微鏡本体５に固定されている。このため、ステージ２が顕微鏡本体５に対して取り付けられた状態では、基準部材２１および第１移動部材２２が顕微鏡本体５に対して移動することとなる。以下の説明では、第２移動部材２３における標本Ｓの載置面をＸＹ平面とみなし、上述した第１の方向をＹ軸方向とする一方、第２の方向をＸ軸方向とする。
【００２１】
基準部材２１には、板厚方向に貫通し、円形の開口を有する貫通孔２１１が形成されている。貫通孔２１１の開口形状および開口面積は、第１移動部材２２および第２移動部材２３の移動によって標本Ｓを透過した光、または対物レンズ３から出射される光を遮らないように定められる。
基準部材２１の主面のうち第１移動部材２２と対向する側の主面には、Ｙ軸方向に沿って延びる２つの溝部２１２が形成されている。
基準部材２１の主面のうち第２移動部材２３と対向する側の主面には、Ｘ軸方向に沿って突起して延びる２つの突起部２１３が設けられている。
基準部材２１には、後述する操作部２４の一部を挿通する挿通孔２１４が形成されている。
【００２２】
第１移動部材２２には、板厚方向に貫通する貫通孔２２１が形成されている。貫通孔２２１は、貫通孔２１１と互いの中心軸が一致するとともに、同一の開口形状を有する。
第１移動部材２２の主面のうち基準部材２１と対向する側の主面には、Ｙ軸方向に沿って突起する２つの突起部２２２が設けられている。突起部２２２は、基準部材２１の溝部２１２と嵌合して第１移動部材２２の基準部材２１に対する移動方向をＹ軸方向に規制する。
第１移動部材２２の側面の一部には、第１ラック２２３が形成されている。第１ラック２２３は、操作部２４に設けられる第１ピニオン２４２と歯合する。
第１移動部材２２には、第１当接部材２５を螺合するネジ孔２２４が形成されている。
【００２３】
第２移動部材２３には、板厚方向に貫通する貫通孔２３１が形成されている。貫通孔２３１は、貫通孔２１１、２２１と互いの中心軸が一致するとともに、同一の開口形状を有する。
第２移動部材２３の主面のうち基準部材２１と対向する側の主面には、Ｘ軸方向に沿って延びる二つの溝部２３２が形成されている（図２では一つのみ記載）。溝部２３２は、基準部材２１の突起部２１３と嵌合して第２移動部材２３の基準部材２１に対する移動方向をＸ軸方向に規制する。
第２移動部材２３の側面の一部には、第２ラック２３３が形成されている。第２ラック２３３は、操作部２４に設けられる第２ピニオン２４４と歯合する。
第２移動部材２３には、第２当接部材２６を螺合するネジ孔２３４が形成されている。
【００２４】
操作部２４は、基準部材２１の板面に対して垂直な方向に延びる略棒状をなす。操作部２４は、第１移動部材２２の移動量を入力する第１入力部２４１と、第１入力部２４１を介して自転し、第１ラック２２３と歯合する第１ピニオン２４２と、第１入力部２４１とは独立に操作可能であり、第２移動部材２３の移動量を入力する第２入力部２４３と、第２入力部２４３を介して自転し、第２ラック２３３と歯合する第２ピニオン２４４と、基準部材２１の主面であって第１移動部材２２と対向する主面に当接するフランジ部２４５と、を有する。
【００２５】
図３は、第１当接部材２５の構成および第１移動部材２２への取付態様を示す部分断面図である。第１当接部材２５は、第１移動部材２２のネジ孔２２４に螺合し、第１移動部材２２に対して変位可能に固定されるネジ部２５１と、ネジ部２５１の先端部に圧入されて取り付けられ、基準部材２１の主面であって第１移動部材２２と対向する主面（底面）に当接可能な先端面を有する当接部２５２とを有する。
【００２６】
ネジ部２５１は、頭部２５１ａと、頭部２５１ａから伸びて側面にネジ山が形成され、ネジ孔２２４に螺合する軸部２５１ｂとを有する。軸部２５１ｂの先端には、当接部２５２が圧入される凹部２５１ｃが形成されている。ネジ部２５１は、金属または合金によって構成される。
当接部２５２は、樹脂もしくは表面にフッ素加工が施された金属または合金によって構成される。
【００２７】
当接部２５２と基準部材２１との間の最大静止摩擦力は、操作部２４の第１入力部２４１の内部摩擦力、溝部２１２と突起部２２２との間の摺動抵抗、第１入力部２４１の操作時に必要な操作力、マニピュレーション等の操作時に操作部２４以外から加わる可能性のある外力等を考慮した上で設定され、その設定に合うように当接部２５２および基準部材２１の材料が決定される。より具体的には、最大静止摩擦力の値は、少なくとも以下の二つの条件（１）、（２）を満たすような値として設定される。
（１）第１入力部２４１から操作力が入力された場合には、第１移動部材２２が基準部材２１に対して移動する。
（２）操作部２４以外から所定の外力が加わった場合には、第１移動部材２２が基準部材２１に対して移動しない。
【００２８】
第２当接部材２６の構成は、第１当接部材２５の構成と同様である。また、第２当接部材２６の第２移動部材２３への取付態様も、第１当接部材２５の第１移動部材２２への取付態様と同様である。さらに、第２当接部材２６（の当接部）と基準部材２１との間の最大静止摩擦力の設定についても、上述した第１当接部材２５の場合と同様である。
【００２９】
以上の構成を有するステージ２の動作について説明する。ステージ２を移動させる際には、操作部２４の第１入力部２４１または第２入力部２４３をユーザが操作することによって第１移動部材２２または第２移動部材２３を基準部材２１に対して相対的に移動させる。
【００３０】
ステージ２の第１当接部材２５では、ネジ部２５１の締め方を調整することで、基準部材２１への当接の有無を変更することができる。ネジ部２５１を緩く締めて当接部２５２が基準部材２１に当接していない状態では、基準部材２１と第１当接部材２５との間に摩擦力は作用しない。この場合、ユーザが操作部２４を操作することによって第１移動部材２２を基準部材２１に対して粗動させることができる。
【００３１】
これに対し、ネジ部２５１を固く締めて第１当接部材２５を基準部材２１に当接させると、ユーザが操作部２４を操作しても、第１移動部材２２が基準部材２１に対して粗動することはないが、微小な距離移動（微動）させることはできる。しかも、この場合には、ユーザが操作部２４による操作力以外の力をステージ２に加えたとしても、第１移動部材２２が基準部材２１に対して動くことがない。
【００３２】
第２当接部材２６についても第１当接部材２５と同様の状況を生じさせることができる。すなわち、第２移動部材２３のネジ孔２３４に対する第２当接部材２６のネジ部の締め方を調整することにより、第２移動部材２３の基準部材２１に対する粗動／微動を変更させることができ、第２当接部材２６が基準部材２１に当接している場合には、ユーザが操作部２４による操作力以外の力をステージ２に加えたとしても、第２移動部材２３が基準部材２１に対して動くことがない。
【００３３】
このように、ステージ２においては、第１当接部材２５および第２当接部材２６を具備させて、その締め付け方を調整することにより、第１移動部材２２および第２移動部材２３と基準部材２１との相対的な移動を適切に制御することが可能となる。
【００３４】
次に、図１を参照して、顕微鏡１の詳細な構成を説明する。顕微鏡本体５は、ユーザと対向する正面側（図１の左側面側）に設けられた鏡筒部７と、鏡筒部７に装着される接眼レンズ８とを有する。
【００３５】
透過照明装置６は、顕微鏡本体５から鉛直上方へ延びる照明支柱９と、照明支柱９の上方からユーザが位置する正面側に向かって延びる照明アーム部１０と、照明アーム部１０の背面側の端部に着脱可能に設けられ、標本Ｓに照射する透過照明光を射出する光源１１１を有するランプハウス１１と、照明アーム部１０が射出した透過照明光を集光して標本Ｓへ結像させるコンデンサレンズ１２１を有するコンデンサユニット１２と、コンデンサユニット１２を保持し、照明支柱９が延びる方向と直交する方向に延びるコンデンサホルダ１３と、を有する。
【００３６】
照明支柱９は、コンデンサホルダ１３を光軸Ｎ１に沿って上下に移動可能なコンデンサ移動機構９１を有する。コンデンサ移動機構９１は、例えばラック＆ピニオンを用いて実現され、コンデンサユニット１２を上下に移動させることが可能なコンデンサ焦準操作部９１１を有する。コンデンサ焦準操作部９１１は、所定の回転軸のまわりに自転可能であり、その回転軸のまわりの回転に応じてコンデンサユニット１２を移動させる。
【００３７】
照明アーム部１０は、光源１１１の光軸Ｎ２上にレンズ１０１と、折り返しミラー１０２と、視野絞り１０３と、を有する。ここで、光軸Ｎ２は、光軸Ｎ１と直交している。また、照明アーム部１０の正面側の端部には、視野絞り１０３の径を調整可能な視野絞り操作部１０４が設けられている。
【００３８】
以上の構成を有する顕微鏡１において、ランプハウス１１の光源１１１から射出された透過照明光は、照明アーム部１０に配置されたレンズ１０１、折り返しミラー１０２、視野絞り１０３およびコンデンサレンズ１２１を通過し、標本Ｓに照射される。標本Ｓからの観察像は、対物レンズ３によって拡大または縮小され、顕微鏡本体５内部に設けられる光学系によって結像される。ユーザは、結像された観察像を、鏡筒部７に装着された接眼レンズ８を介して観察する。
【００３９】
以上説明した本発明の実施の形態１によれば、複数の板状部材のいずれかを板厚方向に貫通し、該貫通する板状部材に対して変位可能に固定されるとともに、該貫通する板状部材と異なる一つの板状部材の主面に当接可能な当接部材を備えているため、当接部材を板状部材に当接させるだけの簡単な構成により、標本位置の微調整を容易に行うことができる一方、ユーザの動作によって操作力以外の外力が加わっても動くことがない状態を生じさせることができる。その結果、本実施の形態１によれば、標本操作時に標本位置に狂いが生じることなく、標本観察位置の移動も支障なく行うことができる。
【００４０】
また、本実施の形態１によれば、Ｘ軸方向の摩擦とＹ軸方向の摩擦を独立に調整することができるため、調整に必要なスペースが少なくて済む。この結果、ステージに設ける貫通孔の開口面積を大きくすることができる。
【００４１】
（実施の形態２）
図４は、本発明の実施の形態２に係るステージの構成を示す分解斜視図である。同図に示すステージ３０は、板状をなす基準部材３１と、基準部材３１の互いに異なる主面とそれぞれ対向して積層される第１移動部材３２および第２移動部材３３と、基準部材３１に対する第１移動部材３２および第２移動部材３３の移動を操作する操作部３４と、基準部材３１を貫通するとともに第１移動部材３２に螺合され、第２移動部材３３の主面に当接可能な当接部材３５と、を有する。基準部材３１、第１移動部材３２、第２移動部材３３、操作部３４は、金属または合金によって構成される。ステージ３０は、上述したステージ２に換えて顕微鏡１へ取り付けることが可能である。
【００４２】
第１移動部材３２は、基準部材３１に対して基準部材３１の主面と平行な方向（第１の方向：Ｙ軸方向）に往復動可能である。また、第２移動部材３３は、基準部材３１に対して基準部材３１の板面と平行な方向であって第１移動部材３２が往復動する方向と直交する方向（第２の方向：Ｘ軸方向）に往復動可能である。
【００４３】
基準部材３１には、上述した基準部材２１と同様に、貫通孔３１１、溝部３１２、突起部３１３および挿通孔３１４が設けられている。
また、基準部材３１には、第１移動部材３２に螺合した当接部材３５が貫通し、当接部材３５が基準部材３１と干渉することを防止し、第１移動部材３２の基準部材３１に対するＹ軸方向の移動を自在に行わせるためにＹ軸方向へ延びる長孔３１５が形成されている。
【００４４】
第１移動部材３２には、上述した第１移動部材２２と同様に、貫通孔３２１、突起部３２２、第１ラック３２３、およびネジ孔３２４が設けられている。
【００４５】
第２移動部材３３には、上述した第２移動部材２３と同様に、貫通孔３３１、溝部３３２、第２ラック３３３が設けられている。なお、第２移動部材３３には、第２移動部材２３のネジ孔２３４に相当するネジ孔は形成されていない。
【００４６】
操作部３４の構成は、実施の形態１で説明した操作部２４の構成と同じである。すなわち、操作部３４は、第１入力部３４１と、第１ピニオン３４２と、第２入力部３４３と、第２ピニオン３４４と、フランジ部３４５とを有する。
【００４７】
図５は、当接部材３５の構成および第１移動部材３２への取付態様を示す部分断面図である。当接部材３５は、第１移動部材３２のネジ孔３２４に螺合するとともに基準部材３１の長孔３１５を貫通するネジ部３５１と、ネジ部３５１の先端部に圧入されて取り付けられ、第２移動部材３３の主面であって基準部材３１と対向する主面（底面）に当接可能な先端面を有する当接部３５２と、を有する。
【００４８】
ネジ部３５１は、頭部３５１ａと、頭部３５１ａから伸びて側面にネジ山が形成され、ネジ孔３２４に螺合する軸部３５１ｂとを有する。軸部３５１ｂの先端には、当接部３５２が圧入される凹部３５１ｃが形成されている。ネジ部３５１は、金属または合金によって構成される。
当接部３５２は、樹脂または表面にフッ素加工が施された金属によって構成される。
【００４９】
当接部３５２と第２移動部材３３との間の最大静止摩擦力は、実施の形態１で説明した当接部２５２と基準部材２１との間の最大静止摩擦力と同様に設定され、その設定に合うように当接部３５２および第２移動部材３３の材料が決定される。
【００５０】
以上の構成を有するステージ３０の当接部材３５では、ネジ部３５１の締め方を調整することで、第２移動部材３３への当接の有無を変更することができる。ネジ部３５１を緩く締めて当接部３５２が第２移動部材３３に当接していない状態では、第１移動部材３２と第２移動部材３３との間に当接部材３５による摩擦力は作用しない。この場合、ユーザが操作部３４を操作することによって第１移動部材３２および第２移動部材３３を基準部材３１に対してそれぞれ粗動させることができる。
【００５１】
これに対し、ネジ部３５１を固く締めて当接部材３５を第２移動部材３３に当接させると、ユーザが操作部３４を操作しても、第２移動部材３３が基準部材３１（および第１移動部材３２）に対して粗動することはないが、微小な距離移動（微動）させることはできる。しかも、この場合には、ユーザが操作部３４による操作力以外の力をステージ３０に加えたとしても、第２移動部材３３が基準部材３１（および第１移動部材３２）に対して動くことがない。
【００５２】
このように、ステージ３０においては、当接部材３５の締め付け方を調整することにより、第１移動部材３２および第２移動部材３３と基準部材３１との相対的な移動を適切に制御することが可能となる。
【００５３】
以上説明した本発明の実施の形態２によれば、実施の形態１と同様、当接部材を板状部材に当接させるだけの簡単な構成により、標本位置の微調整を容易に行うことができる一方、ユーザの動作によって操作力以外の外力が加わっても動くことがない状態を生じさせることができる。その結果、本実施の形態２によれば、標本操作時に標本位置に狂いが生じることなく、標本観察位置の移動も支障なく行うことができる。
【００５４】
（実施の形態３）
図６は、本発明の実施の形態３に係るステージの構成を示す分解斜視図である。同図に示すステージ４０は、板状をなす基準部材４１と、基準部材４１の互いに異なる主面とそれぞれ対向して積層される第１移動部材４２および第２移動部材４３と、基準部材４１に対する第１移動部材４２および第２移動部材４３の移動を操作する操作部４４と、第１移動部材４２に螺合するとともに、基準部材４１の主面に当接可能な第１当接部材４５と、基準部材４１に螺合するとともに、第２移動部材４３の主面に当接可能な第２当接部材４６と、を有する。基準部材４１、第１移動部材４２、第２移動部材４３、操作部４４は、金属または合金によって構成される。ステージ４０は、上述したステージ２に換えて顕微鏡１へ取り付けることが可能である。
【００５５】
第１移動部材４２は、基準部材４１に対して基準部材４１の主面と平行な方向（第１の方向：Ｙ軸方向）に往復動可能である。また、第２移動部材４３は、基準部材４１に対して基準部材４１の板面と平行な方向であって第１移動部材４２が往復動する方向と直交する方向（第２の方向：Ｘ軸方向）に往復動可能である。
【００５６】
基準部材４１には、上述した基準部材２１と同様に、貫通孔４１１、溝部４１２、突起部４１３および挿通孔４１４が設けられている。
また、基準部材４１には、第２当接部材４６を螺合するネジ孔４１５が形成されている。
【００５７】
第１移動部材４２には、上述した第１移動部材２２と同様に、貫通孔４２１、突起部４２２、第１ラック４２３、およびネジ孔４２４が設けられている。
また、第１移動部材４２には、第２当接部材４６が貫通し、第２当接部材４６が第１移動部材４２と干渉することを防止し、第１移動部材４２の基準部材４１に対するＹ軸方向の移動を自在に行わせるためにＹ軸方向へ延びる長孔４２５が形成されている。
【００５８】
第２移動部材４３には、上述した第２移動部材２３と同様に、貫通孔４３１、溝部４３２、第２ラック４３３が設けられている。なお、第２移動部材４３には、第２移動部材２３のネジ孔２３４に相当するネジ孔は形成されていない。
【００５９】
操作部４４の構成は、実施の形態１で説明した操作部２４の構成と同じである。すなわち、操作部４４は、第１入力部４４１と、第１ピニオン４４２と、第２入力部４４３と、第２ピニオン４４４と、フランジ部４４５とを有する。
【００６０】
第１当接部材４５および第２当接部材４６の構成は、上述した第１当接部材２５の構成と同様である。
【００６１】
以上の構成を有するステージ４０において、第１当接部材４５の作用は、上述した第１当接部材２５の作用と同様である。また、第２当接部材４６は、当接するのが第２移動部材４３である点を除けば、第２当接部材２６と同様の作用を有する。
【００６２】
したがって、ステージ４０においては、第１当接部材４５および第２当接部材４６を具備させて、その締め付け方を調整することにより、第１移動部材４２および第２移動部材４３と基準部材４１との相対的な移動を適切に制御することが可能となる。
【００６３】
以上説明した本発明の実施の形態３によれば、実施の形態１と同様、当接部材を板状部材に当接させるだけの簡単な構成により、標本位置の微調整を容易に行うことができる一方、ユーザの動作によって操作力以外の外力が加わっても動くことがない状態を生じさせることができる。その結果、本実施の形態３によれば、標本操作時に標本位置に狂いが生じることなく、標本観察位置の移動も支障なく行うことができる。
【００６４】
（実施の形態４）
【００６５】
図７は、本発明の実施の形態４に係るステージの要部の構成を示す断面図である。同図に示すステージ５０は、板状をなす基準部材５１と、基準部材５１の互いに異なる主面とそれぞれ対向して積層される第１移動部材５２および第２移動部材５３と、基準部材５１に対する第１移動部材５２および第２移動部材５３の移動を操作する操作部（図示せず）と、基準部材５１を貫通するとともに第１移動部材５２に螺合され、第２移動部材５３の主面に当接可能な当接部材５４と、を有する。
【００６６】
当接部材５４は、第１移動部材５２のネジ孔５２１に螺合するネジ部５４１と、基端部でネジ部５４１に当接し、ネジ孔５２１が延びる方向に沿って伸縮自在なバネ部５４２と、基準部材５１に形成される孔部５１１を貫通するとともにバネ部５４２を保持する保持部５４３と、保持部５４３の先端に設けられ、第２移動部材５３の主面に当接可能な先端面を有する当接部５４４と、を有する。
【００６７】
ネジ部５４１は、頭部５４１ａと、ネジ孔５２１に螺合する軸部５４１ｂとを有する。
バネ部５４２は、基端側で軸部５４１ｂに当接する一方、先端側で保持部５４３に当接する。
保持部５４３は、基端側にフランジ部５４３ａが設けられている。フランジ部５４３ａは、ネジ孔５２１の基準部材５１側に形成される縮径部５２１ａに進退可能に係合されてネジ孔５２１から抜け止めされている。保持部５４３の先端側には、当接部５４４を圧入する凹部５４３ｂが形成されている。
【００６８】
以上の構成を有する当接部材５４では、ネジ部５４１の位置を調整することによってバネ部５４２の圧縮量を変化させ、当接部材５４の当接力を変化させることができる。したがって、当接力の微妙な調整を行うことが可能となる。
【００６９】
以上説明した本発明の実施の形態４によれば、実施の形態１と同様、当接部材を板状部材に当接させるだけの簡単な構成により、標本位置の微調整を容易に行うことができる一方、ユーザの動作によって操作力以外の外力が加わっても動くことがない状態を生じさせることができる。その結果、本実施の形態４によれば、標本操作時に標本位置に狂いが生じることなく、標本観察位置の移動も支障なく行うことができる。
【００７０】
また、本実施の形態４によれば、当接部材がバネ部を有しているため、基準部材や第１および第２移動部材に生じうる製品ごとのバラツキをバネ部で吸収することができる。
【００７１】
ここまで、本発明を実施するための形態を説明してきたが、本発明は、上述した実施の形態１〜４によってのみ限定されるべきものではない。
【００７２】
例えば、本発明において、ステージを構成する板状部材の枚数は３枚以外でもよく、２枚でも４枚以上でもよい。
また、本発明において、ステージの移動を規制する機構としては、ボールガイドやクロスローラガイドなどを適用することも可能である。
また、本発明は、正立型の顕微鏡に対しても適用することが可能である。
【００７３】
このように、本発明は、ここでは記載していない様々な実施の形態等を含みうるものである。
【符号の説明】
【００７４】
１  顕微鏡
２、３０、４０、５０  ステージ
３  対物レンズ
４  焦準操作部
５  顕微鏡本体
６  透過照明装置
７  鏡筒部
８  接眼レンズ
９  照明支柱
１０  照明アーム部
１１  ランプハウス
１２  コンデンサユニット
１３  コンデンサホルダ
２１、３１、４１、５１  基準部材
２２、３２、４２、５２  第１移動部材
２３、３３、４３、５３  第２移動部材
２４、３４、４４  操作部
２５、４５  第１当接部材
２６、４６  第２当接部材
３５  当接部材
９１  コンデンサ移動機構
２１１、２２１、２３１、３１１、３２１、３３１、４１１、４２１、４３１  貫通孔
２１２、２３２、３１２、３３２、４１２、４３２  溝部
２１３、２２２、３１３、３２２、４１３、４２２  突起部
２２４、２３４、３２４、４１５、４２４  ネジ孔
２５１、３５１、５４１  ネジ部
２５１ａ、３５１ａ、５４１ａ  頭部
２５１ｂ、３５１ｂ、５４１ｂ  軸部
２５２、３５２、５４４  当接部
３１５、４２５  長孔
５１１  孔部
５４２  バネ部
５４３  保持部
【図１】
2013228626.tif 000003
【図２】
2013228626.tif 000004
【図３】
2013228626.tif 000005
【図４】
2013228626.tif 000006
【図５】
2013228626.tif 000007
【図６】
2013228626.tif 000008
【図７】
2013228626.tif 000009